(57)【特許請求の範囲】
【請求項１】
ケース本体の開口部に平面状の蓋体が取り付けられ、蓋体の開時に、蓋体が水平方向に平行に移動された後に、前記ケース本体の開口部の鉛直方向の一方の端縁側を支点としてヒンジ状に蓋体が開かれるケース開閉機構において、
前記ケース本体に前記蓋体に平行に鉛直方向に取り付けられた板状の底部と
この底部の両端にそれぞれ一方の端縁が接続され前記蓋体に直交し水平方向に平行に設けられた板状の側部と
を有し
前記ケース本体の開口部の鉛直方向の一方の端縁に取り付けられたヒンジ軸支持手段と
このヒンジ軸支持手段に両端が支持され前記ケース本体の前記一方の端縁に対して所定距離を隔てて平行に鉛直方向に配置されたヒンジ軸と
を有するケース側ヒンジ部材と、
前記蓋体に水平方向に平行に取り付けられ前記ヒンジ軸と直交する少なくとも２個のガイド板と
前記ガイド板の前記ケース本体側の端縁を互いに接続する接続板と
このガイド板に前記蓋体側より前記蓋体に直交する方向に溝状に切り欠き形成され前記ヒンジ軸が係合されて前記蓋体が前記ケース本体より水平方向に平行に移動され溝終端部分において前記ヒンジ軸を中心にして前記ガイド板が回動されるヒンジ軸ガイド溝と
を有する蓋体側ヒンジ部材と、
を具備したことを特徴とするケース開閉機構。
【発明の詳細な説明】
【技術分野】
【０００１】
本発明は、ケース開閉機構に関するものである。
更に詳述すれば、安価で、十分なシール性を実現できるケース開閉機構に関するものである。
【背景技術】
【０００２】
図９は従来例の内圧防爆ケースにより構成された屋外事務処理装置を用いたＬＰＧ充填スタンドの一実施例を示す図、図１０は従来例の内圧防爆ケースを使用した屋外事務処理装置の正面図、図１１は従来例の内圧防爆ケースの蓋体とケース本体の当接領域を拡大して示す断面図、図１２の（イ）、（ロ）は、それぞれ軸受け部近傍の構造を、蓋体をケース本体から取り外して示す正面図と断面図である。
【０００３】
図９は従来例の内圧防爆ケースを屋外事務処理装置に適用した液化天然ガス供給スタンドの一実施例を示すものであって、図中符号１は、従来例の内圧防爆ケースを用いた屋外事務処理装置で、液化天然ガス充填装置２に隣接して立てられた支柱３上に設置され、事務所４等の非危険領域に設置されたエアポンプ５からパイプ６によりエアの供給を受け、また事務所４のＰＯＳ７や充填装置２と信号の授受が可能となるように信号線８で接続されている。
【０００４】
図１０は、従来例の内圧防爆ケースを用いて構成された制御装置の一実施例を示すものであって、図中符号１０は、ケース本体１１に蝶番により取付けられた蓋体で、表面には窓１０ａ、１０ｂを形成して、ここにタッチキー１２、表示器１３が設けられており、また下方にはプリンタ１４の排紙領域に対向するように伝票排出用のスリット１５が形成されている。
【０００５】
蓋体１０は周囲にフランジ１６が形成されていて、一辺を後述する蝶番によりケース本体１１に回動可能に取付けられ、４辺を錠締めボルト１７により後述するケース本体１１に固定されている。
【０００６】
図１１は、同上ケースの蓋体１０とケース本体１１との当接面近傍の構造を示す図であって、ケース本体１１は、その４辺が内側に折り曲げられてパッキン当接部２０が形成され、また外周には外側に突出するようにフランジが設けられ、内部に制御装置３０やプリンタ１４が設置されている。
【０００７】
また設置されたとき鉛直となる辺の少なくとも２箇所には、図１２（イ）に示したようにフランジ２１の一部に切欠部２１ａを設け、設置されたとき上側が開放領域となるように取付け基板２２を介して蝶番を構成する軸２３が固定されている。
【０００８】
再び図１１に戻って、蓋体１０は、その外周を外側に折り曲げてフランジ１６が形成され、また内縁に沿ってケース本体１１のパッキン当接部２０に対向する位置に固定枠２４を介してゴム等の断面矩形のパッキン２５が交換可能に取付けられており、前記基板２２に一致する位置に蓋面に垂直な方向が長手方向となる蝶番を形成する長孔からなる軸受け２６が固定枠２４を延長して形成された固定部２４ａに固定されている。
【０００９】
この実施例において、ケース本体１１に制御装置３０やプリンタ１４を設置し、また蓋体１０にタッチキー１２や表示器１３を取付け、蓋体１０を持ち上げて軸受け２６の長孔を、ケース本体１１の軸２３に挿通して手を放すと、軸受け２６が基板２２と軸２３とに支持される。そして制御装置３０とタッチキー１２、表示器１３とをケーブル３１のコネクタ３２、３３により接続する。
【００１０】
組立が終了した段階で、蓋体１０を回動させると、軸受け２６と軸２３とからなる蝶番を介して蓋体１０がケース本体１１の開口を封止するので、錠締めボルト１７により要所を締めると、蓋体１０が軸受け２６の奥方向に延びる長孔により軸２３に係合しているから、回転運動を伴うことなくケース本体側に垂直に移動させることができ、パッキン２４全体が開口部に垂直に押圧されて、均一に圧縮されて気密状態が確保できる。
【００１１】
メンテナンスが必要となった時点で、錠締めボルト１７を外すと、軸２３を中心にして蓋体１０を回動させて開放できる。そして長年月の使用によりパッキン２５が損傷した場合には、コネクタ３３を外して蓋体１０を若干持ち上げて軸受け２６を軸２３から取り外すと、蓋体１０がケース本体１１から分離するから、蓋体１０に取付けられているパッキン２５を取り外して新しいものに取り替え、前述と同様の手順で蓋体１０をケース本体１１に取付けて、またケーブル３１を制御装置３０に接続してから、錠締めを行う。
【先行技術文献】
【特許文献】
【００１２】
【特許文献１】特開平０９−２７２６００号公報
【発明の概要】
【発明が解決しようとする課題】
【００１３】
このような装置においては、以下の問題点がある。
複雑な機構、部品を有し、非常に高価になる。
部品数が多く、管理費や組立コストが上昇する。
ケース本体と蓋体とが分離する構造だと、現場での部品落下などの障害がある。また、タッチパネルなどの構造を持たせることができない。
【００１４】
本発明の目的は、上記の課題を解決するもので、安価で、十分なシール性を実現できるケース開閉機構を提供することにある。
【課題を解決するための手段】
【００１５】
このような課題を達成するために、本発明では、請求項１のケース開閉機構においては、
ケース本体の開口部に平面状の蓋体が取り付けられ、蓋体の開時に、蓋体が水平方向に平行に移動された後に、前記ケース本体の開口部の鉛直方向の一方の端縁側を支点としてヒンジ状に蓋体が開かれるケース開閉機構において、
前記ケース本体に前記蓋体に平行に鉛直方向に取り付けられた板状の底部と
この底部の両端にそれぞれ一方の端縁が接続され前記蓋体に直交し水平方向に平行に設けられた板状の側部と
を有し
前記ケース本体の開口部の鉛直方向の一方の端縁に取り付けられたヒンジ軸支持手段と
このヒンジ軸支持手段に両端が支持され前記ケース本体の前記一方の端縁に対して所定距離を隔てて平行に鉛直方向に配置されたヒンジ軸と
を有するケース側ヒンジ部材と、
前記蓋体に水平方向に平行に取り付けられ前記ヒンジ軸と直交する少なくとも２個のガイド板と
前記ガイド板の前記ケース本体側の端縁を互いに接続する接続板と
このガイド板に前記蓋体側より前記蓋体に直交する方向に溝状に切り欠き形成され前記ヒンジ軸が係合されて前記蓋体が前記ケース本体より水平方向に平行に移動され溝終端部分において前記ヒンジ軸を中心にして前記ガイド板が回動されるヒンジ軸ガイド溝と
を有する蓋体側ヒンジ部材と、
を具備したことを特徴とする。
【００１６】
本発明の請求項２のケース開閉機構においては、請求項１記載のケース開閉機構において、
前記ヒンジ軸支持手段は、前記ケース本体に前記蓋体に平行に鉛直方向に取り付けられた板状の底部と、この底部の両端にそれぞれ一方の端縁が接続され前記蓋体に直交し水平方向に平行に設けられた板状の側部とを有することを特徴とする。
【００１７】
本発明の請求項３のケース開閉機構においては、請求項１又は請求項２記載のケース開閉機構において、
前記ガイド板の前記ケース本体側の端縁を互いに接続する接続板を具備したことを特徴とする。
【発明の効果】
【００１８】
本発明の請求項１によれば、次のような効果がある。
複雑な機構が無く、簡潔に構成されているので、部品点数の削減など、コストが低減できて安価なケース開閉機構が得られる。
水平運動の可動幅が容易に得られるので、ケース本体と蓋体との間のガスケットの縮み量が確保でき、十分なシール性を実現できるケース開閉機構が得られる。
【００１９】
ヒンジ軸支持手段は、ケース本体に蓋体に平行に鉛直方向に取り付けられた板状の底部と、この底部の両端にそれぞれ一方の端縁が接続され蓋体に直交し水平方向に平行に設けられた板状の側部とを有するので、板金プレス工程により、安価容易に製作出来、安価なケース開閉機構が得られる。
【００２０】
ガイド板のケース本体側の端縁を互いに接続する接続板が設けられたので、蓋体のヒンジ状の回動動作時に負荷が掛かる部分が強化できるので、動作の信頼性が向上できるケース開閉機構が得られる。
【図面の簡単な説明】
【００２１】
【図１】本発明の一実施例の要部構成説明図である。
【図２】図１の蓋体を開いた状態を示す斜視説明図である。
【図３】図２の分解説明図である。
【図４】図２の部品説明図である。
【図５】図２の部品説明図である。
【図６】蓋体がケース本体に取り付けられた状態の要部詳細説明図である
【図７】図１の動作説明図である。
【図８】図１の動作説明図である。
【図９】従来例の内圧防爆ケースにより構成された屋外事務処理装置を用いたＬＰＧ充填スタンドの一実施例を示す図である。
【図１０】従来例の内圧防爆ケースを使用した屋外事務処理装置の正面図である。
【図１１】従来例の内圧防爆ケースの蓋体とケース本体の当接領域を拡大して示す断面図である。
【図１２】図（イ）、（ロ）は、それぞれ軸受け部近傍の構造を、蓋体をケース本体から取り外して示す正面図と断面図である。
【発明を実施するための形態】
【００２２】
以下本発明を図面を用いて詳細に説明する。
図１は本発明の一実施例の要部構成説明図、図２は蓋体を開いた状態を示す斜視説明図、図３は図２の分解説明図、図４，図５は図２の部品説明図、図６は蓋体がケース本体に取り付けられた状態の要部詳細説明図、図７，図８は図１の動作説明図である。
【００２３】
図１において蓋体４２は、ケース本体４１の四隅に、ねじ４３を締め込むことでシール性を保っている。
この動作をするには、特に、例えば、耐圧防爆ケース等においては、シール性を十分に確保できるようにするために、ケース本体４１と蓋体４２とのシール面に対し蓋体４２が５ｍｍ〜１０ｍｍ程度、矢印Ａに示す如く、水平方向に動くことが出来る必要がある。
【００２４】
図２に蓋を開けた状態の図を示す。本発明のケース開閉機構により図１に示すような水平運動と、蓋体のヒンジ状の開閉運動を実現する。
図２〜図６において、ケース側ヒンジ部材４４は、ヒンジ軸支持手段４５とヒンジ軸４６とを有する。
【００２５】
ヒンジ軸支持手段４５は、ケース本体４１の開口部の鉛直方向の一方の端縁に取り付けられている。
この場合は、ヒンジ軸支持手段４５は、板状の底部４５１と板状の側部４５２とを有しコの字状をなす。
【００２６】
底部４５１は、ケース本体４１に、蓋体４２に平行に鉛直方向に取り付けられ板状をなす。
側部４５２は、の底部４５１の両端に、それぞれ一方の端縁が接続され、蓋体４２に直交し水平方向に平行に設けられている。
ヒンジ軸４６は、ヒンジ軸支持手段４５に両端が支持され、ケース本体４１の一方の端縁に対して、所定距離を隔てて平行に鉛直方向に配置されている。
【００２７】
蓋体側ヒンジ部材４７は、ガイド板４８とヒンジ軸ガイド溝４９とを有する。
ガイド板４８は、蓋体４２に水平方向に平行に取り付けられ、ヒンジ軸４６と直交するし、少なくとも２個を有する。
この場合は、ガイド板４８のケース本体４１の側の端縁を互いに接続する接続板５１を有する。
【００２８】
ヒンジ軸ガイド溝４９は、ガイド板４８に、蓋体４２の側より、蓋体４２に直交する方向に溝状に切り欠き形成され、ヒンジ軸４６が係合されて、蓋体４２がケース本体４１より水平方向に平行に移動され、溝終端部分４９１においてヒンジ軸４６を中心にしてガイド板４８が回動できる。
５２は、ガイド板４８を蓋体４２に取付ける取付部である。
【００２９】
６１は、ケース本体４１と蓋体４２とのシール面をシールするシールガスケットである。
この場合は、蓋体４２に取り付けられている。
シールガスケット６１とケース本体４１のシール面とが、ねじ４３の締め込みにより密着し、ケース本体４１と蓋体４２との間のシール性を確保する。
【００３０】
以上の構成において、ケース本体４１から蓋体４２を開くには、蓋体４２を図７の矢印Ｂに示す如く、水平方向に移動し、図８の矢印Ｃに示す如く、回動する。
【００３１】
この結果、
複雑な機構が無く、簡潔に構成されているので、部品点数の削減など、コストが低減できて安価なケース開閉機構が得られる。
水平運動の可動幅が容易に得られるので、ケース本体４１と蓋体４２との間のガスケット６１の縮み量が確保でき、十分なシール性を実現できるケース開閉機構が得られる。
【００３２】
ヒンジ軸支持手段４５は、ケース本体４１に、蓋体４２に平行に、鉛直方向に取り付けられた板状の底部４５１と、この底部４５１の両端にそれぞれ一方の端縁が接続され蓋体４２に直交し、水平方向に平行に設けられた板状の側部４５２とを有するので、板金プレス工程により、安価容易に製作出来、安価なケース開閉機構が得られる。
【００３３】
ガイド板４８のケース本体４１側の端縁を互いに接続する接続板５１が設けられたので、蓋体４２のヒンジ状の回動動作時に、負荷が掛かる部分が強化できるので、動作の信頼性が向上できるケース開閉機構が得られる。
【００３４】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００３５】
４１    ケース本体
４２    蓋体
４３    ねじ
４４    ケース側ヒンジ部材
４５    ヒンジ軸支持手段
４５１  底部
４５２  側部
４６    ヒンジ軸
４７    蓋体側ヒンジ部材
４８    ガイド板
４９    ヒンジ軸ガイド溝
４９１  終端部分
５１    接続板
５２    取付部
６１    シールガスケット
【図１】
0005527601.tif 000002
【図２】
0005527601.tif 000003
【図３】
0005527601.tif 000004
【図４】
0005527601.tif 000005
【図５】
0005527601.tif 000006
【図６】
0005527601.tif 000007
【図７】
0005527601.tif 000008
【図８】
0005527601.tif 000009
【図９】
0005527601.tif 000010
【図１０】
0005527601.tif 000011
【図１１】
0005527601.tif 000012
【図１２】
0005527601.tif 000013